(57)【特許請求の範囲】
【請求項１】
平面視した際の外形周縁部に第１側部と該第１側部の反対側に位置している第２側部とをそれぞれ有している第１太陽電池モジュールおよび第２太陽電池モジュールを、前記第１太陽電池モジュールの前記第１側部が前記第２太陽電池モジュールの前記第２側部に対向するように、傾斜面における傾斜方向に沿って、前記第１太陽電池モジュールを前記傾斜面の下側に、前記第２太陽電池モジュールを前記傾斜面の上側にそれぞれ傾斜させて並べているとともに、前記第１太陽電池モジュールの前記第１側部と前記第２太陽電池モジュールの前記第２側部との間に保持部材を介在させている太陽電池アレイであって、
前記保持部材は、前記第１太陽電池モジュールの前記第１側部を保持する、前記第１側部に沿って延びている第１保持部と、前記第２太陽電池モジュールの前記第２側部を保持する、前記第２側部に沿って延びている第２保持部とを備えており、
前記第１保持部は、前記第１太陽電池モジュールの前記第１側部の上端部を覆う覆い部と、該覆い部とともに前記第１側部を挟んで前記第１側部の下端部を支持する第１支持部と、前記覆い部と前記第１支持部との間に位置して前記第１側部に対向する第１側壁部とを有しており、
前記第２保持部は、前記第２太陽電池モジュールの前記第２側部の下端部を支持する第２支持部と、前記第２側部に対向する第２側壁部と、前記第１側壁部と前記第２側壁部との間に設けられ、前記第２太陽電池モジュールの前記第２側部の上端面よりも低い位置に設けられている第３支持部と、該第３支持部に支持されて、前記第２側部の長手方向の長さよりも短い長さで前記第２側部に沿っていて、前記第２保持部の前記第２支持部とともに前記第２側部を挟んで前記第２側部の前記上端面を押圧する押圧部とを有している、太陽電池アレイ。
【請求項２】
前記第２保持部の前記押圧部は、前記第１保持部に当接して押圧している、請求項１に記載の太陽電池アレイ。
【請求項３】
前記保持部材の前記覆い部は、前記第１太陽電池モジュールの前記第１側部の上端面を押圧している、請求項１または２に記載の太陽電池アレイ。
【請求項４】
前記第２太陽電池モジュールの前記第２側部に上面に切欠きを有するフレーム部材を有しており、該フレーム部材の前記切欠きを除く部位を前記保持部材の第２保持部で保持している、請求項１乃至３のいずれかに記載の太陽電池アレイ。
【発明の詳細な説明】
【技術分野】
【０００１】
本発明は太陽電池アレイに関する。
【背景技術】
【０００２】
太陽電池アレイは、太陽電池モジュールを架台に取り付けて、例えば建物の屋根等に設置される。このため、安全性の確保および施工時間の短縮等の観点から、太陽電池アレイは施工性の良いものが求められている。【０００３】
そこで、太陽電池アレイの施工性を向上させる技術として、例えば、横架台に設けた溝に太陽電池モジュールを嵌め込み、太陽電池モジュールを上から押さえる構造が提案されている（例えば特開２００１−３２９６６４号公報等を参照）。
【発明の概要】
【発明が解決しようとする課題】
【０００４】
しかし、上記の太陽電池アレイは、施工性が良好であるものの、太陽電池モジュールの下方側の側部を、太陽電池モジュールの側部の長さに対応した長尺の押さえ部材で覆う構造を有している。このため、太陽電池モジュールの表面と押さえ部材との段差部で砂塵などで汚れた雨水が滞留する。さらに、段差部に滞留した雨水が表面張力、風等によって太陽電池モジュールの受光面に広がるなどして、この状態で水分が蒸発した後に残った砂塵などの汚れが太陽電池モジュールの受光面に付着しやすい。【０００５】
本発明の目的の一つは、施工を容易に行うことができ、太陽電池モジュールに汚れが付きにくい太陽電池アレイを提供することである。
【課題を解決するための手段】
【０００６】
本発明の実施形態に係る太陽電池アレイは、平面視した際の外形周縁部に第１側部と該第１側部の反対側に位置している第２側部とをそれぞれ有している第１太陽電池モジュールおよび第２太陽電池モジュールを、前記第１太陽電池モジュールの前記第１側部が前記第２太陽電池モジュールの前記第２側部に対向するように、傾斜面における傾斜方向に沿って、前記第１太陽電池モジュールを前記傾斜面の下側に、前記第２太陽電池モジュールを前記傾斜面の上側にそれぞれ傾斜させて並べているとともに、前記第１太陽電池モジュールの前記第１側部と前記第２太陽電池モジュールの前記第２側部との間に保持部材を介在させている。【０００７】
前記保持部材は、前記第１太陽電池モジュールの前記第１側部を保持する、前記第１側部に沿って延びている第１保持部と、前記第２太陽電池モジュールの前記第２側部を保持する、前記第２側部に沿って延びている第２保持部とを備えている。【０００８】
前記第１保持部は、前記第１太陽電池モジュールの前記第１側部の上端部を覆う覆い部と、該覆い部とともに前記第１側部を挟んで前記第１側部の下端部を支持する第１支持部と、前記覆い部と前記第１支持部との間に位置して前記第１側部に対向する第１側壁部とを有している。【０００９】
前記第２保持部は、前記第２太陽電池モジュールの前記第２側部の下端部を支持する第２支持部と、前記第２側部に対向する第２側壁部と、前記第１側壁部と前記第２側壁部との間に設けられ、前記第２太陽電池モジュールの前記第２側部の上端面よりも低い位置に設けられている第３支持部と、該第３支持部に支持されて、前記第２側部の長手方向の長さよりも短い長さで前記第２側部に沿っていて、前記第２保持部の前記第２支持部とともに前記第２側部を挟んで前記第２側部の前記上端面を押圧する押圧部とを有している。
【発明の効果】
【００１０】
本実施形態に係る太陽電池アレイでは、施工性を向上させることができる。また、太陽電池モジュールの受光面から砂塵等を含む雨水などがスムーズに排水等されて、雨水中の砂塵等が太陽電池モジュールの受光面に付着しにくくなる。これにより、太陽電池モジュールの受光面が清浄に保たれるので、発電効率の低下を低減できる。
【図面の簡単な説明】
【００１１】
【図１】図１（ａ）は、本発明の一実施形態に係る太陽電池アレイを設置面に設置した様子を示す斜視図であり、図１（ｂ）は図１（ａ）の太陽電池アレイから一部の太陽電池モジュールを取り外した様子を示す斜視図である。
【図２】図２は、本発明の一実施形態に係る太陽電池アレイを構成する太陽電池モジュールを示す図であり、図２（ａ）は太陽電池モジュールを受光面側から見た平面図であり、図２（ｂ）は図２（ａ）のＡ−Ａ’線断面を示す断面図である。
【図３】図３は、本発明の一実施形態に係る太陽電池アレイの部分を示す図面であり、図３（ａ）は図１（ｂ）のＢ部を拡大して示す斜視図であり、図３（ｂ）は図３（ａ）に示す構成を分解して示す分解斜視図である。
【図４】図４は、本発明の一実施形態に係る太陽電池アレイの部分を示す図面であり、図４（ａ）は図１（ａ）のＣ−Ｃ’線断面を示す断面図であり、図４（ｂ）は図１（ａ）のＤ−Ｄ’線断面を示す断面図である。
【図５】図５は、本発明の一実施形態に係る太陽電池アレイの部分を示す図面であり、図１（ｂ）のＥ−Ｅ’線断面に相当する部位における施工順序を示す断面図である。
【図６】図６（ａ）、（ｂ）は、それぞれ本発明の他の実施形態に係る太陽電池アレイの部分を示す図面であり、図４に相当する部位の断面図である。
【図７】図７は、本発明の他の実施形態に係る太陽電池アレイを示す図面であり、図７（ａ）は図１（ａ）のＦ部の拡大斜視図であり、図７（ｂ）は図７（ａ）のＧ−Ｇ’線断面における断面図である。
【発明を実施するための形態】
【００１２】
以下、本発明に係る太陽電池アレイの実施形態について図面を参照しつつ詳細に説明する。なお、図面は模式的に示されたものであり、各図における各種構造のサイズおよび位置関係等は適宜変更し得る。
【００１３】
＜＜第１実施形態＞＞
＜太陽電池アレイ＞
図１（ａ），（ｂ）および図３（ａ），（ｂ）に示すように、本発明の一実施形態に係る太陽電池アレイ１は、例えば、傾斜した屋根２を設置面として設置される。屋根２は、例えば、屋根材として折板２ａが葺かれている。なお、以下では屋根２の傾斜方向をｙ軸方向、屋根２に対する法線方向をｚ軸方向、ｙ軸方向およびｚ軸方向と直交する方向をｘ軸方向という。また、屋根２の傾斜の高い側を＋ｙ軸方向（棟側）、屋根２の傾斜の低い側を−ｙ軸方向（軒側）という。また、屋根２から太陽電池アレイ１へ向かう方向が＋ｚ軸方向であり、単に上という場合は＋ｚ軸方向を指すものとする。また、その逆の方向は−ｚ軸方向であり、単に下という場合は−ｚ軸方向を指すものとする。
【００１４】
太陽電池アレイ１は、屋根２の上に設置される架台３と、架台３に固定された、平面視で矩形状の外形を有する太陽電池モジュール１０とを備えている。架台３は、屋根２に対して固定される支持部材３０、保持部材３１（押圧部材３３を含む）および固定部材３２などを有している。
【００１５】
図２（ａ），（ｂ）に太陽電池モジュール１０の詳細構造を示す。なお、以下では、架台３を屋根２に設置したときに、太陽電池モジュール１０を挟んで位置する２つの保持部材３１のうち＋ｙ軸方向に位置する保持部材３１を第１保持部材３１１といい、−ｙ軸方向に位置する保持部材３１を第２保持部材３１２というものとする。また、第１保持部材３１１と第２保持部材３１２について、特に区別して説明する必要がない場合等は、それぞれの保持部材を保持部材３１として説明する。
【００１６】
太陽電池アレイ１は少なくとも２つの太陽電池モジュール１０を有する。太陽電池モジュール１０は、平面視した際の外形周縁部に第１側部１９と、第１側部１９の反対側に位置している第２側部２０とを有している。ここで、傾斜させて配置している隣り合う２つの太陽電池モジュール１０において、傾斜面における傾斜方向（＋ｙ軸方向）に沿って、傾斜方向の下側に位置する太陽電池モジュール１０を第１太陽電池モジュールといい、傾斜方向の上側に位置する太陽電池モジュール１０を第２太陽電池モジュールという。太陽電池アレイ１は、第１太陽電池モジュールの第１側部１９と、第２太陽電池モジュールの第２側部２０との間に保持部材３１を介在させている。
【００１７】
また、保持部材３１は第１保持部と第２保持部とを備えている。第１保持部は、第１太陽電池モジュールの第１側部１９を保持する部分であって、第１側部１９に沿って延びている部位を有する。第２保持部は、第２太陽電池モジュールの第２側部２０を保持する部分であって、第２側部２０に沿って延びている部位を有している。
【００１８】
第１保持部は、覆い部３１ｆ、第１支持部３１ｄおよび第１側壁部３１ａを有している。覆い部３１ｆは、第１太陽電池モジュールの第１側部１９の上端部である第１上端部１９ａを覆う部分である。また、第１支持部３１ｄは、覆い部３１ｆとともに第１側部１９を挟んで第１側部１９の下端部である第１下端部１９ｂを支持する部分である。第１側壁部３１ａは、覆い部３１ｆと第１支持部３１ｄとの間に位置して第１側部１９に対向する部分である。
【００１９】
また、第２保持部は、第２支持部３１ｅ、第２側壁部３１ｂ、第３支持部である延設部３１ｃおよび押圧部である押圧部材３３を有している。第２支持部３１ｅは、第１太陽電池モジュールの第２側部２０の下端部である第２下端部２０ｂを支持する部分である。また、第２側壁部３１ｂは、第２側部２０に対向する部分である。延設部３１ｃは、第１側壁部と第２側壁部３１ｂとの間に設けられ、第２側部２０の上端面を含む第２上端部２０ａよりも低い位置に設けられている部分である。押圧部材３３は、延設部３１ｃに支持されて、第２側部２０の長手方向の長さよりも短い長さで第２側部２０に沿っていて、第２支持部３１ｅとともに第２側部２０を挟んで第２側部２０の第２上端部２０ａを押圧する部材である。
【００２０】
第１保持部材３１１および第２保持部材３１２は同一構造でもよいが、上述した構成を有していれば、異なる構造でもよい。第１保持部材３１１における第１保持部は、太陽電池モジュール１０の第１側部１９の第１上端部１９ａを覆う覆い部３１ｆと、第１側部１９の第１下端部１９ｂを支持する第１支持部３１ｄと、覆い部３１ｆと第１支持部３１ｄとの間に位置して第１側部１９に対面する第１側壁部３１ａと、第１側壁部３１ａの背面から外側に設けた、第１保持部材３１１の延設部３１ｃとを有していればよい。
【００２１】
また、第２保持部材３１２における第２保持部は、第２側部２０の第２下端部２０ｂを支持する第２支持部３１ｅと、第２側部２０に対面する第２側壁部３１ｂと、第２側壁部３１ｂの背面（第１側部１９が位置する方向とは反対側の方向の面）から外側に設けられ、第２側部２０の第２上端部２０ａよりも低い高さ位置に上面を有する延設部３１ｃとを有していればよい。さらに、第２保持部材３１２の延設部３１ｃの上部には、第２側部２０の長手方向の長さよりも短尺の長さを有し、第２支持部３１ｅとともに第２側部２０を挟んで第２側部２０の上端面を押圧する押圧部材３３が設けられている。
【００２２】
＜太陽電池モジュール＞
図１（ａ），（ｂ）に示すように、複数の太陽電池モジュール１０は、ｘ軸方向に沿って配列されているとともに、ｙ軸方向にも沿って配列されている。そして、図２（ａ），（ｂ）に示すように、各太陽電池モジュール１０は、太陽電池パネル１１と、この太陽電池パネル１１の外縁部を補強するフレーム部材１２とを有している。
【００２３】
特に図２（ｂ）に示すように、太陽電池パネル１１は、主として光を受光する第１主面（受光面）１１ａ（透光性基板１３の一主面）と、この第１主面１１ａの裏面に相当する第２主面１１ｂ（裏面保護部材１７の一主面）とを有している。そして、太陽電池パネル１１は、第１主面１１ａ側から順に、太陽電池モジュール１０の基板を兼ねる透光性基板１３と、熱硬化性樹脂よりなる一対の封止材１４と、インナーリード１５によって電気的に接続された複数の太陽電池素子１６とを備えている。
【００２４】
さらに、太陽電池パネル１１は、太陽電池モジュール１０の裏面を保護する裏面保護部材１７と、太陽電池素子１６で得られた出力を外部に取り出すための端子ボックス１８とを備えている。
【００２５】
なお、太陽電池パネル１１の第２主面１１ｂ側は、光を透過する構造を有していてもよい。例えば、太陽電池素子１６と裏面保護部材１７との間に位置する封止材１４および裏面保護部材１７を、それぞれ透光性を有する材質で構成してもよい。
【００２６】
太陽電池素子１６は、例えば、単結晶シリコンまたは多結晶シリコン等からなる平板状の基板が用いられる。このようなシリコン基板を用いる場合は、上述したように、隣接するシリコン基板同士をインナーリード１５で電気的に接続すればよい。
【００２７】
また、太陽電池素子１６の種類は特に制限されない。例えば、太陽電池素子１６として、アモルファスシリコンよりなる薄膜太陽電池、ＣＩＧＳ太陽電池、ＣｄＴｅ太陽電池、または、結晶シリコン基板上に薄膜のアモルファスシリコンを形成した太陽電池素子１６等を用いてもよい。例えば、アモルファスシリコン、ＣＩＧＳおよびＣｄＴｅよりなる太陽電池素子１６としては、透光性基板１３上において、アモルファスシリコン層、ＣＩＧＳ層またはＣｄＴｅ層を透明電極等と組み合わせて適宜積層するようにしたものが利用できる。
【００２８】
また、端子ボックス１８は、例えば、変性ポリフェニレンエーテル（変性ＰＰＥ）樹脂またはポリフェニレンオキサイド（ＰＰＯ）樹脂の箱体と、この箱体内に配置されるターミナル板と、箱体の外部へ電力を導出する出力ケーブルとを備えている。
【００２９】
フレーム部材１２は、太陽電池パネル１１を保持する機能を有する。フレーム部材１２は、後述する太陽電池アレイ１の設置の際に、太陽電池パネル１１と嵌合する嵌合部１２ａと、太陽光を受光する側に位置するフレーム上面１２ｂと、フレーム上面１２ｂの裏面側に位置するフレーム下面１２ｃと、フレーム上面１２ｂおよびフレーム下面１２ｃを接続するフレーム側面１２ｄとを備えている。このようなフレーム部材１２は、例えばアルミニウムを押し出し成形すること等によって製造することができる。
【００３０】
なお、以下の説明では、太陽電池モジュール１０を屋根に設置した際に、第１側部１９は棟側に位置するフレーム部材１２を含めたものとする。また、第２側部２０は、軒側に位置するフレーム部材１２を含めたものとする。また、第１側部１９のうちフレーム上面１２ｂとフレーム側面１２ｄとが交差する部位を第１上端部１９ａという。また、フレーム下面１２ｃに相当する部位を第１下端部１９ｂという。同様に、第２側部２０のうちフレーム上面１２ｂとフレーム側面１２ｄとが交差する部位を第２上端面２０ａという。さらに、フレーム下面１２ｃに相当する部位を第２下端部２０ｂという。
【００３１】
＜架台＞
次に、図１（ａ），（ｂ）、図３（ａ），（ｂ）および図４（ａ），（ｂ）を用いて、太陽電池モジュール１０を屋根２へ固定する架台３について詳述する。架台３は、屋根２の上に設置される支持部材３０と、支持部材３０に固定部材３２によって固定される保持部材３１とを備えている。さらに、架台３は、保持部材３１に太陽電池モジュール１０を固定するための押圧部材３３を備えている。
【００３２】
図３（ａ），（ｂ）および図４（ａ），（ｂ）に示すように、支持部材３０は、屋根２に固定される固定部３０ａと、固定部３０ａの上に設置される載置部３０ｂとを備えている。
【００３３】
固定部３０ａは、支持部材３０を屋根２に固定するために用いる部材である。例えば、図３（ａ），（ｂ）に示すように、屋根２の屋根材が折板である場合に、固定部３０ａは、脚部３０ａ１で折板の凸条部を挟持することで屋根２に固定される。また、固定部３０ａは、その上側に載置部３０ｂが設けられている。支持部材３０は、この載置部３０ｂで保持部材３１を下側から支持する。保持部材３１は、固定部材３２によって載置部３０ｂに固定される。
【００３４】
図３（ａ），（ｂ）および図４（ａ），（ｂ）に示すように、保持部材３１は、支持部材３０上で支持されて、太陽電池モジュール１０を保持する部材である。保持部材３１は、下側へ向いた凹部を有する。この保持部材３１は、例えば、太陽電池モジュール１０のｘ軸方向の長さのほぼ整数倍の長さの部位を有している。また、保持部材３１は、太陽電池モジュール１０の第１側部１９に対向する第１側壁部３１ａと、第１側壁部３１ａに対向して太陽電池モジュール１０の第２側部２０に対向する第２側壁部３１ｂとを有する。
【００３５】
さらに、保持部材３１は、第１側壁部３１ａの下部に太陽電池モジュール１０の第１下端部１９ｂを支持する第１支持部３１ｄを有する。また、保持部材３１は、第２側壁部３１ｂの下部に太陽電池モジュール１０の第２下端部２０ｂを支持する第２支持部３１ｅを有する。さらに、保持部材３１は、第１側壁部３１ａの上部に太陽電池モジュール１０の第１上端部１９ａを覆う覆い部３１ｆを有する。
【００３６】
第１側壁部３１ａと第２側壁部３１ｂとの間は、延設部３１ｃによって連結されている。延設部３１ｃは、第１側壁部３１ａの中間部と第２側壁部３１ｂの上部とをつなぐように設けられ、ｚ軸方向において、太陽電池モジュール１０の第２上端面２０ａよりも低い位置に配置される。また、延設部３１ｃは、その一部として上側に形成され保持部材３１の長手方向に沿って延びる凹部３１ｃ１を有する。凹部３１ｃ１の入り口は、開口部３１ｃ２であり、開口部３１ｃ２の幅は、凹部３１ｃ１よりも狭い。
【００３７】
この凹部３１ｃ１には、後述の雄ねじ３３ａの頭部３３ａ１が収容されている。また、開口部３１ｃ２から頭部３３ａ１が抜けないようにしつつ、開口部３１ｃ２からねじ部３３ａ２のみを突出させることができる。すなわち、開口部３１ｃ２の幅は、ねじ部３３ａ２の径よりも大きく、頭部３３ａ１の径よりも小さい。
【００３８】
押圧部材３３は、太陽電池モジュール１０を保持部材３１へ押圧して固定するための部材である。押圧部材３３は、雄ねじ３３ａ、雌ねじ３３ｂおよび止め具３３ｃを有している。止め具３３ｃは、雄ねじ３３ａおよび雌ねじ３３ｂを用いて保持部材３１に固定される。
【００３９】
止め具３３ｃは、保持部材３１の延設部３１ｃの開口部３１ｃ２と相対する板状部３３ｃ１と、第２側部２０に近い板状部３３ｃ１の端部から立設した連結部３３ｃ２と、連結部３３ｃ２の上端から太陽電池モジュール１０の第２側部２０に向けて張り出した係止部３３ｃ３とを有する。このように、止め具３３ｃは、その断面形状がクランク状である。止め具３３ｃの保持部材３１の長手方向に沿う長さは、太陽電池モジュール１０の第２側部２０の長手方向の長さよりも短い。
【００４０】
止め具３３ｃは、第２上端面２０ａよりも低い位置にある保持部材３１の延設部３１ｃの上部に取り付けられて、保持部材３１の第２支持部３１ｅとの間で太陽電池モジュール１０の第２側部２０を挟んで第２上端面２０ａを押圧して固定することができる。
【００４１】
雄ねじ３３ａは、例えば、六角ボルトまたは四角ボルトなど、平面視で互いに平行な辺を有する頭部３３ａ１と、ねじ部３３ａ２とを有するものを用いることができる。雄ねじ３３ａは、上述したように、保持部材３１の凹部３１ｃ１に頭部３３ａ１が収納される。雄ねじ３３ａは、その頭部３３ａ１の少なくとも一辺を凹部３１ｃ１の内壁に当接するように配置されることによって、雄ねじ３３ａの回転が止められる。これにより、雄ねじ３３ａは、保持部材３１の長手方向に沿って凹部３１ｃ１内を移動できるが、雄ねじ３３ａの回転を止めることができる。
【００４２】
雌ねじ３３ｂは、雄ねじ３３ａと組み合わせるナットである。具体的には、雌ねじ３３ｂはねじ部３３ａ２に係合する。このような雄ねじ３３ａおよび雌ねじ３３ｂは、例えば、クロムメッキまたは亜鉛等を用いた表面処理などを施したステンレス鋼などからなるものを用いることができる。
【００４３】
また、止め具３３ｃの板状部３３ｃ１は、開口部３１ｃ２と対応する位置に貫通孔３３ｃ４が設けられている。そして、止め具３３ｃは、開口部３１ｃ２の少なくとも一部と貫通孔３３ｃ４とが重なるように位置している。そして、雄ねじ３３ａのねじ部３３ａ２は、開口部３１ｃ２および貫通孔３３ｃ４に挿通することによって、雌ねじ３３ｂで固定される。なお、本実施形態において、開口部３１ｃ２および貫通孔３３ｃ４の大きさは、略同一にしているが、これに限定されない。本実施形態では、開口部３１ｃ２と貫通孔３３ｃ４とが重なる部位において、ねじ部３３ａ２が挿通可能であればよいため、各々の大きさが異なっていてもよい。このとき、開口部３１ｃ２と貫通孔３３ｃ４とが重なる部位は、雌ねじ３３ｂの外径よりも小さくなるように設定されればよい。
【００４４】
＜施工手順＞
以下に、第１保持部材３１１と第２保持部材３１２の間に太陽電池モジュール１０を取り付ける手順について説明する。
【００４５】
まず、図５（ａ）に示すように、太陽電池モジュール１０の第１側部１９を、第１保持部材３１１の第１支持部３１ｄと覆い部３１ｆとの間に差し込む。そして、太陽電池モジュール１０の第１側部１９側を中心にして、第２側部２０を第２保持部材３１２に向けて回動して、図５（ｂ）に示すように、第２側部２０を第２支持部３１ｅの上に載置する。このとき、太陽電池モジュール１０の第２側部２０は第２保持部材３１２の第２側壁部３１ｂに支持されて、太陽電池モジュール１０は第１保持部材３１１と第２保持部材３１２の間に仮止めされる。そして、図５（ｃ）に示すように、第２保持部材３１２の延設部３１ｃに押圧部材３３を取り付けて太陽電池モジュール１０の第２側部２０を固定する。これにより、太陽電池モジュール１０が、第１保持部材３１１と第２保持部材３１２との間に取り付けられる。
【００４６】
＜効果＞
以上により、本実施形態では、ｙ軸方向に隣接した第１保持部材３１１と第２保持部材３１２の間に太陽電池モジュール１０を載置したときに、太陽電池モジュール１０の第１下端部１９ｂと第２下端部２０ｂが、第１保持部材３１１の第１支持部３１ｄと第２保持部材３１２の第２支持部３１ｅに支持されるとともに、第２保持部材３１２の第２側壁部３１ｂが太陽電池モジュール１０を保持して、太陽電池モジュール１０の滑落がしにくくなる。これにより、簡便な構成で容易に太陽電池モジュール１０を仮止めすることができる。
【００４７】
そして、太陽電池モジュール１０の棟側の部位となる第１側部１９は、第１保持部材３１１の第１支持部３１ｄと覆い部３１ｆとの間に差し込んで挟持される。一方、太陽電池モジュールの軒側の部位となる第２側部２０は、第２保持部材３１２の第２支持部３１ｅに対して押圧部材３３によって押圧されて固定される。これにより、太陽電池モジュール１０の上に作業者が載ることなく、太陽電池モジュール１０を容易に固定でき、施工性の良好な太陽電池アレイ１を提供することができる。
【００４８】
さらに、太陽電池モジュール１０の軒側に位置する第２側部２０において、第２保持部材３１２の延設部３１ｃが太陽電池モジュール１０の第２上端面２０ａよりもｚ軸方向で見て低い位置にある。しかも、第２側部２０が第２側部２０よりも短い押圧部材３３で固定されているので、太陽電池パネル１１の主に光を受光する第１主面１１ａに砂埃等で汚れた雨水等を多量に滞留させることがなく、押圧部材３３が配置されていない部位から汚れた雨水等をスムーズに排水等できる。これにより、太陽電池パネル１１の第１主面１１ａに砂塵等が付着しにくくなり、第１主面１１ａが清浄に保たれる。これにより、太陽電池アレイ１の発電効率を高く保つことができる。
【００４９】
＜＜第２実施形態＞＞
図６（ａ），（ｂ）に示すように、本実施形態の太陽電池アレイ１は、止め具３３ｃおよび保持部材３１の形状において、第１実施形態と相違する。これにより、本実施形態の太陽電池アレイ１は、上述した第１実施形態の効果に加えて以下の効果を奏し得る。
【００５０】
止め具３３ｃは、太陽電池モジュール１０の第２側部２０から離れる側の板状部３３ｃ１端部の第１支持部３１ｄに近い側の下面に、延設部３１ｃに当接する凸部３３ｃ５を有している。そのため、止め具３３ｃは、雄ねじ３３ａと雌ねじ３３ｂとで締めつけたときに、凸部３３ｃ５が延設部３１ｃに当接する。これにより、止め具３３ｃが太陽電池モジュール１０の第２側部２０に向けて傾いて、係止部３３ｃ３で第２上端面２０ａを押圧して固定強度を高めることができる。
【００５１】
さらに、保持部材３１において、凸部３３ｃ５の当接する延設部３１ｃを片持ち梁状に張出した覆い部３１ｆの基部としてもよい。これにより、特に図６（ｂ）に示すように、止め具３３ｃを雄ねじ３３ａと雌ねじ３３ｂとで締めつけることによって、凸部３３ｃ５が延設部３１ｃを強く押圧して下方向に弾性変形する。そして、覆い部３１ｆが太陽電池モジュール１０の第１側部１９の第１上端部１９ａを強く押圧して、覆い部３１ｆが第１上端部１９ａを押圧することができる。
【００５２】
したがって、覆い部３１ｆが、太陽電池モジュール１０の第１側部１９を強く固定できる。さらに、覆い部３１ｆと第１上端部１９ａとの間の隙間をなくし、強風時の太陽電池モジュール１０のガタツキを無くすることができ、騒音を低減できる。
【００５３】
＜＜第３実施形態＞＞
図７（ａ），（ｂ）に示すように、本実施形態の太陽電池アレイ１は、第２側部２０の形状において、第１実施形態および第２実施形態と相違する。これにより、本実施形態の太陽電池アレイ１は、上述した第１実施形態および第２実施形態の効果に加えて以下の効果を奏し得る。
【００５４】
太陽電池モジュール１０は、第２側部２０におけるフレーム部材１２のフレーム上面１２ｂに切欠き１２ｂ１を有する。そして、保持部材３１によって切欠き１２ｂ１を除く部位を保持する。これにより、特に図７（ｂ）に示すように、受光面１１ａと延設部３１ｃの間で雨水が滞留する段差が無くなり、切欠き１２ｂ１から速やかに雨水を排水することができる。その結果、太陽電池パネル１１の第１主面１１ａに雨水中の砂塵等の汚れが付着することをさらに低減して、砂塵等の汚れによる発電効率低下をさらに小さくすることができる。
【００５５】
以上、本発明に係る実施形態を例示したが、本発明は上述した実施形態に限定されるものではなく、本発明の目的を逸脱しない限り任意のものに適宜変更可能である。例えば、屋根の屋根材は折板に限定されず、太陽電池アレイが設置できる構造を有していればその他の屋根材でもよい。また、太陽電池アレイを設置する構造物は屋根以外であってもよい。
【符号の説明】
【００５６】
１：太陽電池アレイ
２：屋根
２ａ：折板
３：架台
１０：太陽電池モジュール
１１：太陽電池パネル
１１ａ：第１主面
１１ｂ：第２主面
１２：フレーム部材
１２ａ：嵌合部
１２ｂ：フレーム上面
１２ｂ１：切欠き
１２ｃ：フレーム下面
１２ｄ：フレーム側面
１３：透光性基板
１４：封止材
１５：インナーリード
１６：太陽電池素子
１７：裏面保護部材
１８：端子ボックス
１９：第１側部
１９ａ：第１上端部
１９ｂ：第１下端部
２０：第２側部
２０ａ：第２上端部
２０ｂ：第２下端部
３０：支持部材
３０ａ：固定部
３０ｂ：載置部
３１：保持部材
３１１：第１保持部材
３１２：第２保持部材
３１ａ：第１側壁部
３１ｂ：第２側壁部
３１ｃ：延設部（第３支持部）
３１ｃ１：凹部
３１ｃ２：開口部
３１ｄ：第１支持部
３１ｅ：第２支持部
３１ｆ：覆い部
３２：固定部材
３３：押圧部材
３３ａ：雄ねじ
３３ａ１：頭部
３３ａ２：ねじ部
３３ｂ：雌ねじ
３３ｃ：止め具
３３ｃ１：板状部
３３ｃ２：連結部
３３ｃ３：係止部
３３ｃ４：貫通孔
３３ｃ５：凸部
【図１】
0005909602.tif 000002
【図２】
0005909602.tif 000003
【図３】
0005909602.tif 000004
【図４】
0005909602.tif 000005
【図５】
0005909602.tif 000006
【図６】
0005909602.tif 000007
【図７】
0005909602.tif 000008